(57)【要約】【課題】作業者のニーズに応じたマーキングによって、簡便かつ正確に貼付けられる光学フィルム貼付方法を得ること。【解決手段】本発明にかかる光学フィルム貼付方法は、一方の表面に保護シート２４を有する偏光板１３を液晶表示セル１２に貼付する方法である。そして、偏光板１３の保護シート２４を有する面の反対面と、液晶表示セル１２とを貼付する工程と、液晶表示セル１２に貼付された偏光板１３の保護シート２４を剥離する工程とを備える。また、保護シート２４に、マイクロ文字が施されている。【選択図】図３
2008058557.tif 000002
【特許請求の範囲】
【請求項１】
一方の表面に保護シートを有する光学フィルムを表示セルに貼付する光学フィルム貼付方法であって、
前記光学フィルムの前記保護シートを有する面の反対面と、前記表示セルとを貼付する工程と、
前記表示セルに貼付された前記光学フィルムの前記保護シートを剥離する工程とを備え、
前記保護シートに、前記光学フィルムの品番識別を表すマイクロ文字が繰り返し配列されてライン状のマーキングが施されている光学フィルム貼付方法。
【請求項２】
前記ライン状のマーキングが複数本整列して形成される請求項１に記載の光学フィルム貼付方法。
【請求項３】
前記ライン状のマーキングが前記表示セルとのアライメントマークとなる請求項１に記載の光学フィルム貼付方法。
【発明の詳細な説明】
【技術分野】
【０００１】
本発明は、偏光板等の光学フィルム貼付方法に関し、例えば一方の表面に保護シートを有する偏光板を表示セルに貼付する光学フィルム貼付方法に関する。
【背景技術】
【０００２】
液晶表示装置（ＬＣＤ）は、薄型・軽量・低消費電力の特徴を活かして、情報通信時代に必須のフラットパネルディスプレイとして、ＯＡ用、民生用、産業用と幅広く活用されている。液晶表示装置に用いられている液晶の表示方式は、ＳＴＮ（スーパーツイステッドネマティック）方式、ＴＮ（ツイステッドネマティック）方式、ＩＰＳ（インプレーンスイッチング）方式等がある。
【０００３】
これらの液晶表示素子は、液晶の配列状態に伴う光の旋光性や複屈折性を利用するため、偏光板を用いる。偏光板は、一般にポリビニルアルコール（ＰＶＡ）のフィルムを延伸し、ヨウ素などの２色性色素で染色して作られる。そして、その表面をトリアセチルセルロース（ＴＡＣ）などの保護膜にて積層させた構造である。この偏光板は、ある一定方向に振動した光を透過し、直交した方向に振動した光は吸収するという偏光機能を有する光学フィルムである。液晶表示パネルでは、一般に表示面である前面と背面に、それぞれ偏光軸の異なる２種類の偏光板を貼り付けることにより、画像が映し出される構成となっている。
【０００４】
このような偏光板や位相差板、それらを積層した楕円偏光板等の光学フィルムは、通例その表面が損傷されないように、保護シートで接着被覆した状態で輸送や保管や組立等に供される。また、この保護シートが接着被覆されていることが分かり難いため、保護シートの剥がし忘れ等が生じる場合があった。このため、保護シートにライン等をマーキングすることによって、剥がし忘れを防止している。
【０００５】
なお、液晶表示装置の活発な商品化に伴い、多品種の偏光板が採用されている。液晶表示装置に用いられる液晶表示セルは、パネルの両面に偏光板が貼り付けられる。前面用（Ｆ偏光板）と背面用（Ｒ偏光板）とでは、偏光軸の他に、前面の反射防止、傷防止のために表面処理が異なる場合がある。このように、前面用と背面用とでは偏光板の種類が異なるため、種類を誤らないようにして、偏光板を貼り付ける必要がある。さらに、偏光板には、軸方向があり、これを間違えて設置した液晶表示装置は、液晶表示装置としての機能を発揮しなくなる。しかしながら、偏光板は仕様が多少異なっても、外観上は同じ透明のフィルムである。このため、例えば偏光板メーカーから偏光板が納入された時点では、偏光板の梱包袋に品番等の品種情報が記載されているが、梱包袋から偏光板を取り出した後は、偏光板の外観上から区別するのは困難である。また、偏光板の表面が保護シートで覆われているため、外観上、前面用と背面用の区別をするのは、さらに困難となっている。
【０００６】
そのため、誤って同じ種類の偏光板をセル両面に貼り付けたり、前面用と背面用とを逆に貼り付けるという作業ミスが発生することがあった。このような作業ミスが発生すると、誤って貼り付けた偏光板を剥がした後、別の偏光板を貼り付けるというように、作業工数を増加させるという問題が生じる。さらには、偏光板を剥がす際に、静電気が発生して液晶表示セルを破壊し、液晶表示パネルの歩留りの低下を招くという問題も有していた。
【０００７】
このような問題を解決するため、偏光板の表面に貼付された保護シートに、偏光板の種類を区別できる表記を施す技術が開示されている（特許文献１）。これは、偏光板表面に貼付された保護シートに、軸方向等を表記し、偏光板の貼り間違えを防止している。
【特許文献１】特開２００３−１４９３４号公報
【発明の開示】
【発明が解決しようとする課題】
【０００８】
つまり、偏光板の保護シートには、上記のような剥がし忘れ防止のためのマーキングと、特許文献１の技術のような偏光板の貼り間違えを防止できるマーキングとが必要となる。しかし、液晶表示パネルを製造する製造メーカーには、偏光板の貼り間違えを防止できるマーキングが必要となるが、組み立てた液晶表示パネルを用いて液晶表示装置を組み立てる組立メーカーでは、このようなマーキングは不要である。その代わり、組立メーカーでは、マジックによって印されたライン等のように、より分かりやすいマーキングが必要である。つまり、それぞれのメーカーによって、必要なマーキング、不要なマーキングが異なる。このため、作業者のニーズに応じたマーキングを得ることが困難であった。
【０００９】
本発明は、上記の問題を鑑みるためになされたものであり、作業者のニーズに応じたマーキングによって、簡便かつ正確に貼付けられる光学フィルム貼付方法を得ることを目的とする。
【課題を解決するための手段】
【００１０】
本発明にかかる光学フィルム貼付方法は、一方の表面に保護シートを有する光学フィルムを表示セルに貼付する光学フィルム貼付方法であって、前記光学フィルムの前記保護シートを有する面の反対面と、前記表示セルとを貼付する工程と、前記表示セルに貼付された前記光学フィルムの前記保護シートを剥離する工程とを備え、前記保護シートに、前記光学フィルムの品番識別を表すマイクロ文字が繰り返し配列されてライン状のマーキングが施されている方法である。これにより、作業者のニーズに応じたマーキングによって、簡便かつ正確に貼付けられる。
【００１１】
また、前記ライン状のマーキングが複数本整列して形成されていてもよい。さらに、前記ライン状のマーキングが前記表示セルとのアライメントマークとなってもよい。
【発明の効果】
【００１２】
本発明によれば、作業者のニーズに応じたマーキングによって、簡便かつ正確に光学フィルムを貼付けられる。
【発明を実施するための最良の形態】
【００１３】
実施の形態．
本発明にかかる偏光板や位相差板等の光学フィルムを表示セルに貼付する光学フィルム貼付方法について説明する前に、表示装置について説明する。表示装置は、例えば液晶表示装置、有機ＥＬ表示装置等の平面型表示装置（フラットパネルディスプレイ）である。ここでは、一例として液晶表示装置について図１を用いて説明する。図１は、液晶表示装置に用いられる液晶表示パネルの構成を示す断面図である。液晶表示装置には、液晶表示セルの表裏面に偏光板等の光学フィルムが貼付された液晶表示パネルに、バックライトユニット等が取り付けられている。
【００１４】
図１に示される様に、液晶表示セル１２は、ＴＦＴアレイ基板１と、ＴＦＴアレイ基板１に対向して配置される対向基板２とをＴＦＴアレイ基板１の外周縁にて、シール剤３を用いて貼り合わせ、その間に液晶層４を形成して封止したものである。ＴＦＴアレイ基板１は、スイッチング素子として、ＴＦＴ（薄膜トランジスタ）５を有し、シール剤３で囲まれる領域のＴＦＴ５を除いて略全体に、画素電極６が配置される。そして、ＴＦＴアレイ基板１の端部には、駆動回路が設けられたＴＣＰ（Tape Carrier Package）７が、ＡＣＦ（Anisotropic Conductive Film：異方性導電膜）８を介して接続される。これにより、外部からの各種信号が供給される。それらの信号に応じて、ＴＦＴ５のＯＮ、ＯＦＦが制御され、ＴＦＴ５がＯＮ状態のとき、画素電極６に表示電圧が印加される。
【００１５】
そして、対向基板２は、カラーフィルタ層及び対向電極９を有している。カラーフィルタ層は、例えばブラックマトリクス（ＢＭ）１０と、赤（Ｒ）緑（Ｇ）青（Ｂ）の着色層１１とを有している。対向電極９は、対向基板２の液晶層４側に配置され、液晶層４に信号電位を供給するための共通電位を与える。そして、対向基板２と対向電極９との間には、カラーフィルタ層が、画素電極６及びＴＦＴ５に対向する領域に形成されており、このカラーフィルタ層を用いてカラー表示が行われる。
【００１６】
また、ＴＦＴアレイ基板１および対向基板２の液晶層４側の表面には、液晶を配向させるための液晶配向膜（不図示）が形成されている。そして、ＴＦＴアレイ基板１と対向基板２の外側に、偏光板１３が貼付され、液晶表示パネル１４が形成される。つまり、液晶表示セル１２の表裏面には、偏光板１３が貼付されている。ここで、偏光板１３の詳細については、後述する。このような構成の液晶表示パネル１４は、２枚偏光板方式と呼ばれるが、１枚偏光板方式のものもある。また、ＳＴＮ（スーパーツイステッドネマティック）方式では、偏光板１３の他に位相差板が貼付されるのが通常である。そして、液晶表示パネル１４には、バックライトユニット（不図示）等が取り付けられている。液晶表示装置は、以上のように構成されている。また、上記の構成は、一例であり、これ以外の構成でもよい。
【００１７】
ここで、画素電極６に表示電圧が印加されると、画素電極６と対向電極９との間に、表示電圧に応じた電界が生じる。画素電極６と対向電極９との間の電界によって、液晶が駆動される。すなわち、基板間の液晶の配向方向が変化する。これにより、液晶層４を通過する光の偏光状態が変化する。すなわち、偏光板１３を通過して直線偏光となった光は液晶層４によって、偏光状態が変化する。具体的には、バックライトユニットからの光は、ＴＦＴアレイ基板１側の偏光板１３によって直線偏光になる。そして、この直線偏光が液晶層４を通過することによって、偏光状態が変化する。
【００１８】
従って、偏光状態によって、対向基板２側の偏光板１３を通過する光量が変化する。すなわち、バックライトユニットから液晶表示パネル１４を透過する透過光のうち、視認側の偏光板１３を通過する光の光量が変化する。液晶の配向方向は、印加される表示電圧によって変化する。従って、表示電圧を制御することによって、視認側の偏光板１３を通過する光量を変化させることができる。すなわち、画素毎に表示電圧を変えることによって、所望の画像を表示することができる。
【００１９】
次に、偏光板１３について、図２を用いて説明する。図２は、一般的な偏光板１３の構成を示す断面図である。偏光板１３の構成は液晶表示装置が、透過型か半透過型か、あるいは反射型かによって異なる。ここでは、透過型用の偏光板１３の構成について説明する。
【００２０】
偏光板１３は、偏光子が入った偏光基板２０及びベース基板２１によって構成されている。偏光基板２０の両面にベース基板２１が設けられ、ベース基板２１が偏光基板２０を保護している。偏光基板２０としては、偏光子としてヨウ素や２色性染料が入った偏光基材（例えばポリビニルアルコール：ＰＶＡ）を用いることができる。また、ベース基板２１としては、透明なトリアセチルセルロース（ＴＡＣ）を用いることができる。ＴＡＣは耐水性にすぐれ、偏光板中に残存する水分によって反ったり、変質したりしないので好ましい。そして、一方のベース基板２１の表面には、粘着層２２と剥離シート２３とが順に設けられている。従って、剥離シート２３を剥がすと、粘着層２２が露出し、液晶表示セル１２に偏光板１３を貼付することができる。また、他方のベース基板２１の偏光基板２０が設けられている面の反対面には、保護シート２４が設けられている。これは、偏光板１３を保護するために設けられている。偏光板１３は、以上のように構成されている。この偏光板１３は、ある一定方向に振動した光を透過し、直交した方向に振動した光は吸収するという偏光機能を有する光学フィルムである。
【００２１】
本発明は、偏光板１３に貼付された保護シート２４に特徴を有するものである。そこで、次に保護シート２４について図３を用いて説明する。図３は、偏光板１３が貼りあわされた液晶表示パネル１４の構成を示す斜視図である。つまり、図３は、図１に示された液晶表示パネル１４を斜めから見た図である。液晶表示パネル１４の構成については、図１と同様なので説明を省略する。
【００２２】
偏光板１３と液晶表示セル１２とは、図２に示される粘着層２２によって貼付されている。また、上述のように偏光板１３の表面には、保護シート２４が貼付されている。保護シート２４の表面には、マーキング２５が施されている。本実施の形態では、マーキング２５は、幅又は高さが０．０１〜１ｍｍのマイクロ文字となっている。そして、保護シート２４の表面に、マイクロ文字によって品番識別を表す偏光板１３の品番が繰り返し配列されてライン状のマーキング２５が施されている。品番によって、偏光板１３の種類、例えば前面用、背面用、サイズ、仕様が判別できる。このマイクロ文字は、顕微鏡等によって文字が確認できる。また、マイクロ文字の色は、保護シート２４の剥がし忘れ防止のために識別しやすいように、赤・黄色等の暖色系とすることが好ましい。さらに識別力を高めるために、ライン状のマーキング２５は、１０〜１００本のラインを束ねたライン群とすることが好ましい。また、ライン群は複数本整列されていることが好ましい。
【００２３】
次に、本実施の形態に係る光学フィルム貼付方法について、図４を用いて説明する。ここでは、光学フィルムの一例として偏光板を用いる。図４は、偏光板貼付方法を示すフローチャートである。
【００２４】
まず、偏光板１３を構成するベース基板２１に、マーキング２５が施された保護シート２４を貼付する（ステップＳ１）。次に、偏光板１３の剥離シート２３を剥離する（ステップＳ２）。これによって、粘着層２２が露出する。そして、粘着層２２により、液晶表示セル１２と偏光板１３とを貼り合わせる（ステップＳ３）。つまり、偏光板１３の保護シート２４を有する面の反対面と、液晶表示セル１２とが貼付される。そして、液晶表示セル１２に貼付された偏光板１３の保護シート２４を剥離する（ステップＳ４）。以上の工程により、一方の表面に保護シート２４を有する偏光板１３を、液晶表示セル１２に貼付する。
【００２５】
本実施の形態では、偏光板１３の保護シート２４に、マイクロ文字によるライン状のマーキング２５を設けている。このマイクロ文字には、品番が記載されているので、従来のような混乱を防ぐことができる。つまり、従来のような偏光板の貼り間違えを低減することができる。また、このような保護シート２４を用いれば、保護シート２４の任意の箇所で切断することができる。これは、文字がマイクロサイズと小さいため、品番の記載が途切れてしまうことが生じ難いためである。これによって、どの箇所で切断しても、品番を確認することができる。さらに、マイクロ文字をマーキング２５に用いていることにより、肉眼ではラインとして認識される。これにより、保護シート２４の剥がし忘れを防止することができる。つまり、マイクロ文字によって表記されたマーキング２５は、剥がし忘れの防止のマークとしても利用される。これにより、液晶表示パネル１４を製造する製造メーカーでは、偏光板の品番を確認することができる。そして、組み立てた液晶表示パネル１４を用いて液晶表示装置を組み立てる組立メーカーでは、偏光板１３の保護シート２４の剥がし忘れを低減することができる。このように、同一のマーキング２５を偏光板１３の品番等の確認、及び保護シート２４の剥がし忘れ防止の２通りの使い方をすることができる。
【００２６】
また、製造メーカーでは、偏光板１３の品番が必要であるが、組立メーカーでは、品番が不要である。上記のように、マイクロ文字をマーキング２５に使用したことにより、組立メーカーで、保護シート２４を剥離する際には、品番が分からない。また、図３に示されたように、ライン状にマイクロ文字が施されていることにより、一見して保護シート２４が貼付されていることが分かる。例えば、偏光板の品番を示すマイクロ文字を一列に繰り返し印字することによって、ライン状のマーキングを形成することができる。一方、偏光板１３の品番が必要な製造メーカーは、顕微鏡等を用いることにより、品番を確認することができる。このように、製造メーカーと組立メーカーとのニーズに応じて、同一のマーキング２５を使い分けることができる。本実施の形態によれば、偏光板の貼り間違えを防ぎつつ、偏光板の表面に設けられた保護シートの剥がし忘れを低減することができる。つまり、作業者のニーズに応じたマーキング２５によって、簡便かつ正確に貼付けられる。また、複数のライン状のマーキング２５が保護シート２４の全面に形成されているので、保護シート２４を任意の箇所で切断することができる。また、ライン状のマーキング２５は偏光板１３の偏光軸方向と同じになる方向に形成することが好ましい。
【００２７】
マーキング２５の形状は、図３のように斜線状に形成しなくてもよい。つまり、どのような形状に形成してもよい。更には、ライン状のマーキング２５を液晶表示セル１２とのアライメントマークとして使用することも可能である。例えば、保護シート２４上に表示エリアを印し、液晶表示セル１２の表示エリアと合わせることにより、偏光板１３を液晶表示セル１２に正確に貼り合わせることができる。マーキング２５は特に限定されず、文字、数字、図形、絵等の１種、または２種以上を組み合わせることも可能である。これらをマイクロサイズに表記することにより、本実施の形態と同様の効果を得ることができる。また、偏光板１３以外の光学フィルム、例えば位相差板や、偏光板１３と位相差板を積層した楕円偏光板、あるいはカラーフィルタ等に応用することができる。ここでは、偏光板等の光学フィルムと貼り合わせる表示セルとして液晶表示セル１２を用いたが、有機ＥＬ表示セル等のその他の表示セルを用いてもよい。
【図面の簡単な説明】
【００２８】
【図１】実施の形態にかかる液晶表示パネルの構成を示す断面図である。
【図２】実施の形態にかかる偏光板の構成を示す断面図である。
【図３】実施の形態にかかる液晶表示パネルの構成を示す斜視図である。
【図４】実施の形態にかかる偏光板貼付方法を示すフローチャートである。
【符号の説明】
【００２９】
１  ＴＦＴアレイ基板、２  対向基板、３  シール剤、４  液晶層、
５  ＴＦＴ、６  画素電極、７  ＴＣＰ、８  ＡＣＦ、９  対向電極、
１０  ＢＭ、１１  着色層、１２  液晶表示セル、１３  偏光板、
１４  液晶表示パネル、
２０  偏光基板、２１  ベース基板、２２  粘着層、２３  剥離シート、
２４  保護シート、２５  マーキング
【図１】
2008058557.tif 000003
【図２】
2008058557.tif 000004
【図３】
2008058557.tif 000005
【図４】
2008058557.tif 000006